(57)【要約】【課題】乗車時の幼児の頭部がヘルメットの厚み分だけ前方へ押し出されて前屈み姿勢となることを回避すると共に、幼児の頭部の動作（例えば、横や後ろへ振り向くような動作）を妨げることなく、幼児の頭部をサポート可能とした自転車用幼児座席装置を提供すること。【解決手段】座部３と背もたれ部４とを有する座席本体２を備え、座席本体２の背もたれ部４上部にヘッドレスト部５が設けられた自転車用幼児座席装置において、ヘッドレスト部５には、後方へ向けて凹ませた凹部１２が形成されている。【選択図】図１
2009269412.tif 000002
【特許請求の範囲】
【請求項１】
座部（３）と背もたれ部（４）とを有する座席本体（２）を備え、座席本体（２）の背もたれ部（４）上部にヘッドレスト部（５）が設けられた自転車用幼児座席装置において、ヘッドレスト部（５）には、後方へ向けて凹ませた凹部（１２）が形成されていることを特徴とする自転車用幼児座席装置。
【請求項２】
前記ヘッドレスト部（５）に設けられた凹部（１２）は、凹み状態を保持したまま上方へ向けて開放されていることを特徴とする請求項１記載の自転車用幼児座席装置。
【請求項３】
前記ヘッドレスト部（５）に設けられた凹部（１２）は、正面全面が球面状の凹み面を呈するものとして形成されていることを特徴とする請求項１又は請求項２記載の自転車用幼児座席装置。
【発明の詳細な説明】
【技術分野】
【０００１】
本発明は、自転車用幼児座席装置に関するものである。
【背景技術】
【０００２】
自転車用幼児座席装置は、座部と背もたれ部とを有する座席本体を備え、座席本体の背もたれ部上部にヘッドレスト部が設けられているのが一般的となっている（例えば特許文献１等参照）。
ヘッドレストは、座部に座った幼児の頭部を後方からガードするためのものであるから、当然に、幼児の頭部まで及ぶ高さを有したものとされている。
【特許文献１】特開２００７−２０３８７４号公報
【発明の開示】
【発明が解決しようとする課題】
【０００３】
最近では交通事故等から幼児を守ることが強く叫ばれ、その一環として、自転車用幼児座席装置へ幼児を載せる場合でも、幼児にヘルメットを着用させるべきだとの指摘がなされるようになってきている。
ところが、従来の自転車用幼児座席装置のヘッドレストは、座席本体の背もたれ部から上方へほぼ平行に延長されたものであったため、ヘルメットを着用した幼児の頭部がヘルメットの厚み分だけ前方へ押し出されて前屈み姿勢となる不具合があった。
本発明は、上記事情に鑑みてなされたものであって、乗車時の幼児の頭部がヘルメットの厚み分だけ前方へ押し出されて前屈み姿勢となることを回避すると共に、幼児の頭部の動作（例えば、横や後ろへ振り向くような動作）を妨げることなく、幼児の頭部をサポート可能とした自転車用幼児座席装置を提供することを目的とする。
【課題を解決するための手段】
【０００４】
前記目的を達成するために、本発明は次の手段を講じた。
即ち、本発明に係る自転車用幼児座席装置は、座部と背もたれ部とを有する座席本体を備え、座席本体の背もたれ部上部にヘッドレスト部が設けられたものであって、ヘッドレスト部には、後方へ向けて凹ませた凹部が形成されている。
このような構成であると、乗車時の幼児の頭部がヘルメットの厚み分だけ前方へ押し出されて前屈み姿勢となることを回避することができ、また、幼児の頭部の動作（例えば、横や後ろへ振り向くような動作）を妨げることなく、幼児の頭部をサポートすることができ、従って、乗車後の幼児が横や後ろへ振り向いたときなどに、ヘルメットがヘッドレスト部に接触干渉することがない。
【０００５】
ヘッドレスト部に設けられた凹部は、凹み状態を保持したまま上方へ向けて開放されたものとするのが好適である。
このようにすることで、幼児を乗せたり降ろしたりする場合にもヘルメットとヘッドレスト部との接触干渉が起こらず、好適である。
ヘッドレスト部に設けられた凹部は、正面全面が球面状の凹み面を呈するものとして形成しておくのが好適である。
このようにすることで、凹部の境界部において肌触り感が好適となることは言うまでもなく、また見た感じがソフトになって威圧感やヘッドレスト部内側の狭苦しさを払拭できることになる（スマートで広々としたイメージとなる）。
【０００６】
なお、凹部の内側を全て球面にさせる必要はなく、最も奥方の面などで扁平な面を含ませることは可能である。
【発明の効果】
【０００７】
本発明に係る自転車用幼児座席装置では、乗車時の幼児の頭部がヘルメットの厚み分だけ前方へ押し出されて前屈み姿勢となることを回避すると共に、幼児の頭部の動作（例えば、横や後ろへ振り向くような動作）を妨げることなく、幼児の頭部をサポート可能とした自転車用幼児座席装置を提供することができる。
【発明を実施するための最良の形態】
【０００８】
以下、本発明の実施の形態を、図面に基づき説明する。
図１乃至図３は、本発明に係る自転車用幼児座席装置１の一実施形態を示している。この幼児座席装置１は、座席本体２の背もたれ部４に対し、その上部にヘッドレスト部５が設けられたものである。
ヘッドレスト部５には、座部３に座った幼児１０が着用するヘルメット１１との干渉を避けるために、背もたれ部４の正面を基準としてそれよりも後方へ向けて凹ませた凹部１２が形成されている。
【０００９】
座席本体２は、座部３を有し、この座部３の後部で背もたれ部４が立ち上がるようになっており、座部３の左右両側には側部ガード壁１６が形成されている。これら側部ガード壁１６の後端は背もたれ部４と一体的に連結形成されている。
座部３の下面や側部ガード壁１６の外面などには、自転車への取り付けに用いる適宜固定用構造（図示略）が設けられており、自転車のハンドル前部、後部又は上部（ハンドルの中央部）、或いは自転車の後部などに取付可能になっている。また、左右の側部ガード壁１６における上部間を跨ぐようにして、座部３に座った幼児１０が握るためのハンドルバー１７が設けられている。
【００１０】
なお、本実施形態では、側部ガード壁１６の前端同士が座部３の上部前方を横断するように連結されることにより、前ガード１８が形成されたものを示している。
また前ガード１８の下部には、必要に応じて開閉することのできる前下ガード１９が付設されたものとしてある。この前下ガード１９は、前方を下方へ下げるように取付姿勢を変更することで、座部３に座った幼児１０の足置きとして使用することもできるようになっている。このような前ガード１８や前下ガード１９の有無や構造等は特に限定されるものではない。
【００１１】
ヘッドレスト部５は、座部３に座った幼児１０の頭部をその後方からガードできるように、頭部高さに合わせて設けられている。本実施形態では、幼児１０の頭部に対して、その左右両脇方へ向けて張り出すようにして、左右ガード部２０が設けられたものを示してある。
なお、本実施形態では、背もたれ部４の後面（背面）に上端を上向きに開放させた上下方向に長いレール部２１が形成され、ヘッドレスト部５には、このレール部２１に上下動自在に係合可能となるスライド部２２が設けられたものを示してある。レール部２１とスライド部２２とを係合させるうえでの凹凸関係は相対的なものであり、どちらを凸としても凹としてもよい。
【００１２】
このような構造であるため、ヘッドレスト部５は、レール部２１に沿ってスライド部２２を上下動させることで高さ位置を調節できるようになっている。
レール部２１には、スライド部２２自体を押圧するか、又はスライド部２２に対して高さ方向に複数設けられた位置決め凹部（又は孔）に係合するようになった高さ調整ネジ２４が設けられている。そのため、この高さ調整ネジ２４の弛緩時にヘッドレスト部５の高さ調整が可能で、高さ調整ネジ２４の増し締め時にヘッドレスト部５の高さ固定が可能となっている。
【００１３】
ヘッドレスト部５に設けられた凹部１２は、左右方向の中央部を後方へ向けて凹ましたもので、その正面全面が球面状の凹み面を呈するようになっている。また、この凹部１２は、凹み状態を保持したまま上方へ向けて開放されている。
なお、ヘルメット１１には、ヘルメット後部が幼児１０の耳に若干被さるか被さらない程度までのハーフタイプのものや、幼児１０の後頭部をも覆うほどにヘルメット後部を下方へ延ばした野球用ヘルメットのようなタイプなど、種々のものがある。
ヘッドレスト部５に設けられた凹部１２は、これら各種のヘルメットタイプをも配慮して、そのいずれでも接触干渉が起こらないように、位置や形状、大きさなどを設定しておくのが好ましい。
【００１４】
また、ヘルメット１１を着用した幼児１０が横を向いたり振り返ったりする動作でも、ヘルメット１１とヘッドレスト部５との間で接触干渉が起こらないように、位置や形状、大きさなどを設定しておくのが好ましい。
このような構成を有する幼児座席装置１では、ヘルメット１１を着用した幼児１０を乗車させたり降車させたりするときに、ヘルメット１１がヘッドレスト部５に接触干渉することがない。また、ヘルメット１１を着用した幼児１０が横を向いたり振り返ったりしても、ヘルメット１１とヘッドレスト部５との間で接触干渉が起こることはない。従って、乗車時の幼児の頭部がヘルメットの厚み分だけ前方へ押し出されて前屈み姿勢となることを回避すると共に、幼児の頭部の動作（例えば、横や後ろへ振り向くような動作）を妨げることなく、幼児の頭部をサポート可能とした自転車用幼児座席装置を提供することができる。
【００１５】
ところで、本発明は、上記実施形態に限定されるものではなく、実施の形態に応じて適宜変更可能である。
例えば、座席本体２は、座部３、背もたれ部４、側部ガード壁１６、前ガード１８などが一体形成されたものとして示したが、これらが別体形成されるものでもよい。また全部又は一部を金属パイプなどによって形成するようなことも可能である。
座席本体２（背もたれ部４）に対し、ヘッドレスト部５が一体形成されたようなものでもよい。ヘッドレスト部５において、左右ガード部２０を形成させないものでもよい。また、ヘッドレスト部５に設ける凹部１２は、球面以外の形状、例えば、多角形や角形の凹みでもよい。
【図面の簡単な説明】
【００１６】
【図１】本発明に係る自転車用幼児座席装置の一実施形態についてその使用状態を示した一部破砕側面図である。
【図２】図１の幼児座席装置の斜視図である。
【図３】図１の幼児座席装置の側面図である。
【符号の説明】
【００１７】
１  幼児座席装置
２  座席本体
３  座部
４  背もたれ部
５  ヘッドレスト部
１０  幼児
１１  ヘルメット
１２  凹部
【図１】
2009269412.tif 000003
【図２】
2009269412.tif 000004
【図３】
2009269412.tif 000005